(57)【要約】      （修正有）【課題】計測装置に入出力される弱電線と強電部との電気絶縁が確保できるとともに、多くの電気機器の消費量を計測可能な電力計測機能付き分電盤を提供する。【解決手段】電力計測機能付き分電盤１は、主ブレーカ２の出力側に接続された導電バー１０にそれぞれ接続された複数個の分岐ブレーカ３と、分岐ブレーカ３に流れる負荷電流を検出する電流センサ４と、電流センサ４の出力部３５が分岐ブレーカ３に対応して設けられた基板５と、計測装置６と、計測装置６を並設された分岐ブレーカ３よりもベースの片隅に配設しているケースとを具備し、計測装置６は、第３の入力部および演算出力部が主ブレーカ２、分岐ブレーカ３および導電バー１０に対して最も離れた位置側となるように形成されている。【選択図】図７
2013192393.tif 000002
【特許請求の範囲】
【請求項１】
外部電源に接続される主ブレーカと；
この主ブレーカの出力側に接続された導電バーにそれぞれ接続された複数個の分岐ブレーカと；
この分岐ブレーカに接続される負荷に流れる電流を検出する電流センサと；
この電流センサの出力部が前記分岐ブレーカに対応して設けられた基板と；
接続線により前記電流センサの出力部に接続され前記電流センサが検出した電流を入力する第１の入力部、前記導電バー間の電圧を入力する第２の入力部、前記負荷以外の外部の電気機器の出力信号を入力する第３の入力部、前記第１の入力部に入力した前記電流センサが検出した電流および前記第２の入力部に入力した前記導電バー間の電圧から前記負荷の消費電力を演算するとともに前記第３の入力部に入力した前記電気機器の出力信号から前記電気機器の消費量を演算する演算部および当該演算結果を出力する演算出力部を有する計測装置と；
前記主ブレーカ、前記分岐ブレーカおよび前記計測装置を取り付けるベースを有し、前記複数個の分岐ブレーカを並設し、前記計測装置を前記分岐ブレーカよりも前記ベースの片隅に配設しているケースと；
を具備し、
前記計測装置は、前記第３の入力部および前記演算出力部が前記主ブレーカ、前記分岐ブレーカおよび前記導電バーに対して最も離れた位置側となるように形成されていることを特徴とする電力計測機能付き分電盤。
【請求項２】
前記計測装置の演算出力部は、前記演算部の演算結果を無線にて送信するように形成されていることを特徴とする電力計測機能付き分電盤。
【発明の詳細な説明】
【技術分野】
【０００１】
本発明の実施形態は、分岐ブレーカに接続される負荷の使用電力を計測できる電力計測機能付き分電盤に関する。
【背景技術】
【０００２】
この種の分電盤は、主ブレーカおよび分岐ブレーカを備えており、分岐ブレーカに流れる電流を電流センサにより検出している。そして、分岐ブレーカに入力する電圧と、電流センサにより検出した電流とによって分岐ブレーカに接続された電気機器（負荷）の消費電力を演算している。
【０００３】
分電盤には、計測装置を備え、この計測装置により消費電力の演算を行っているものがある。また、分岐ブレーカには、当該電流センサを内蔵したものが既に商品化されている。そして、計測装置で計測した電気機器の使用電力などを表示し、蓄積し、インターネットを介して外部のサーバーや外部端末に送信する監視システムがある（例えば特許文献１参照。）。
【０００４】
ところで、計測装置は、分岐ブレーカと並設されて設けられ、通常、最端側となるように設けられている（例えば特許文献２参照。）。すなわち、計測装置に接続される入力線および出力線は、弱電線であるので、外部からの電源線や分岐ブレーカなどの強電部との絶縁が必要となっている。
【先行技術文献】
【特許文献】
【０００５】
【特許文献１】特許第４７３７１８６号公報（第４−６頁、第１図）
【特許文献２】特許第４７３７０５０号公報（第５頁、第１図）
【発明の概要】
【発明が解決しようとする課題】
【０００６】
計測装置に接続される入力線および出力線は、分電盤の背面側に配線されやすく、主ブレーカに接続される電源線などの強電部と接触しやすいという問題がある。これにより、入力線および出力線にノイズが重畳することがあり、計測装置の電気回路の破壊や演算データが不安定になるなどの問題があった。
【０００７】
また、近年、住宅や店舗などにおいて、大規模な設備を要することなく、使用している電気機器の消費電力や消費量などを容易に知り得ることができる設備の要望がある。
【０００８】
本実施形態は、計測装置に入出力される弱電線と強電部との電気絶縁が確保できるとともに、多くの電気機器の消費量を計測可能な電力計測機能付き分電盤を提供することを目的とする。
【課題を解決するための手段】
【０００９】
本実施形態の電力計測機能付き分電盤は、主ブレーカ、分岐ブレーカ、電流センサ、基板、計測装置およびケースを有して構成される。
【００１０】
主ブレーカは、外部電源に接続される。分岐ブレーカは、主ブレーカの出力側に接続された導電バーにそれぞれ接続された複数個からなる。
【００１１】
電流センサは、分岐ブレーカに接続される負荷に流れる電流を検出するものである。基板は、電流センサの出力部を分岐ブレーカに対応して設けている。
【００１２】
計測装置は、第１ないし第３の入力部、演算部および演算出力部を有して形成されている。第１の入力部は、接続線により基板に設けられた電流センサの出力部に接続され、電流センサが検出した電流を入力する。第２の入力部は、分岐ブレーカが接続された導電バー間の電圧を入力する。第３の入力部は、負荷以外の外部の電気機器の出力信号を入力する。そして、演算部は、第１の入力部に入力した電流センサが検出した電流および第２の入力部に入力した導電バー間の電圧から負荷の消費電力を演算するとともに第３の入力部に入力した電気機器の出力信号から電気機器の消費量を演算する。演算出力部は、演算部が演算した演算結果を出力する。
【００１３】
そして、計測装置は、第３の入力部および演算出力部が主ブレーカ、分岐ブレーカおよび導電バーに対して最も離れた位置側となるように形成されている。
【００１４】
ケースは、主ブレーカ、分岐ブレーカおよび計測装置を取り付けるベースを有する。そして、複数個の分岐ブレーカを並設し、計測装置を分岐ブレーカよりもベースの片隅に配設している。
【発明の効果】
【００１５】
本発明の実施形態によれば、計測装置は、並設された分岐ブレーカよりもケースのベースの片隅に配設されているとともに、第３の入力部および演算出力部が主ブレーカ、分岐ブレーカおよび導電バーに対して最も離れた位置側となるように形成されているので、第３の入力部に接続される入力線および演算出力部に接続される出力線と、外部からの電源線などの強電部とを混在させずに配線することが可能であり、これにより、入力線および出力線と強電部との絶縁を確保できることが期待できる。
【００１６】
また、計測装置は、分岐ブレーカに接続される負荷以外の外部の電気機器の出力信号を入力する第３の入力部を備え、演算部は、電気機器の出力信号から電気機器の消費量を演算し、演算出力部は、その演算結果を出力するように構成されているので、多くの使用している電気機器の消費量を容易に知ることができることが期待できる。
【図面の簡単な説明】
【００１７】
【図１】本発明の第１の実施形態を示す電力計測機能付き分電盤の概略正面図である。
【図２】同じく、主ブレーカを示し、（ａ）は概略上面図、（ｂ）は概略側面図である。
【図３】同じく、分岐ブレーカを示し、（ａ）は概略上面図、（ｂ）は概略側面図である。
【図４】同じく、計測装置の概略側面図である。
【図５】同じく、計測装置を示し、（ａ）は概略上面図、（ｂ）は概略背面図である。
【図６】同じく、計測装置の構成を示す概略ブロック図である。
【図７】同じく、電力計測機能付き分電盤の概略回路図である。
【図８】本発明の第２の実施形態を示す計測装置の概略側面図である。
【図９】同じく、計測装置を示し、（ａ）は概略上面図、（ｂ）は概略背面図である。
【図１０】同じく、計測装置の構成を示す概略ブロック図である。
【発明を実施するための形態】
【００１８】
以下、本発明の一実施の形態について、図面を参照して説明する。まず、本発明の第１の実施形態について説明する。
【００１９】
本実施形態の電力計測機能付き分電盤１は、例えば住宅や店舗に設置されるものであり、図１に示すように、主ブレーカ２、分岐ブレーカ３、電流センサ４、基板５、計測装置６およびケース７を有して構成されている。主ブレーカ２、分岐ブレーカ３、電流センサ４、基板５および計測装置６は、ケース７に収納されている。
【００２０】
ケース７は、自己消化性樹脂からなり、箱状に形成され、ベース８および図示しないカバーを有している。ベースは、長方形に形成され、図示しないねじなどにより、主ブレーカ２、複数個の分岐ブレーカ３、基板５および計測装置６を取り付けている。主ブレーカ２は、ベース８の長手方向の一端側８ａに配設され、分岐ブレーカ３および計測装置６は、ベース８の長手方向の他端側８ｂに配設されている。
【００２１】
そして、複数個の分岐ブレーカ３は、ベース８の長手方向に沿って互いに接近して並設されているとともに、ベース８の短手方向（図１中、上下方向）に上段および下段の２段に配設されている。上段側の分岐ブレーカ３および下段側の分岐ブレーカ３は、互いに反対側を向くように、すなわち入力端子９（図３に示す。）が正対するように配設されている。上段側および下段側ブレーカ３，３間は、導電バー１０および基板５の配設空間となっている。
【００２２】
計測装置６は、１個からなり、最端側の分岐ブレーカ３に並設され、ベース８の下側の片隅８ｃに配設されている。こうして、ケース７は、そのベース８に主ブレーカ２、複数個の分岐ブレーカ３および計測装置６を取り付けているとともに、ベース８の長手方向に複数個の分岐ブレーカ３を並設し、計測装置６を分岐ブレーカ３よりもベース８の片隅８ｃに配設している。
【００２３】
主ブレーカ２は、図２に示すように、既存品であり、３個の入力端子１１に単相３線の図示しない外部電源１２が接続される。中間の入力端子１１ａに外部電源１２の図示しない中性線１３が接続され、両側の入力端子１１に外部電源１２の図示しない電源線１４が接続される。外部電源１２から入力端子１１，１１ａ間にＡＣ１００Ｖが供給される。入力端子１１，１１間には、ＡＣ２００Ｖが供給される。そして、３個の出力端子１５の中間の出力端子１５ａにリード線１６の圧着端子１７が接続され、単３中性線欠相保護の機能を有している。そして、入力端子１１および出力端子１５をそれぞれ覆う保護カバー１８，１９が設けられている。主ブレーカ２は、ハンドル２０の手動操作により入力端子１１および出力端子１５間がオンオフされ、通常オンにされる。
【００２４】
そして、主ブレーカ２の出力端子１５は、図７に示すように、１個の主幹バー２１により３個の導電バー１０に接続されている。１個の導電バー１０ａは、外部電源１２の中性線１３が接続されている。したがって、主ブレーカ２がオンしていると、導電バー１０ａと、残りの導電バー１０，１０との間にＡＣ１００Ｖの電源電圧が供給される。そして、複数個の分岐ブレーカ３は、導電バー１０ａと、導電バー１０，１０との間にほぼ同等の数量となるように接続され、電源電圧ＡＣ１００Ｖを入力する。導電バー１０，１０間には、電源電圧ＡＣ２００Ｖが入力される。また、計測装置６は、３個の導電バー１０に接続され、導電バー１０ａおよび導電バー１０，１０間のそれぞれの電源電圧を入力する。
【００２５】
導電バー１０は、例えば板厚２ｍｍの銅板からなり、例えば長方形に形成されている。そして、図１において、上段側および下段側ブレーカ３，３間に配設されているとともに、計測装置６が配設されているベース８の他端側８ｂまで延在している。３個の導電バー１０は、互いに平行に、かつベース８と平行となるように設けられている。すなわち、導電バー１０は、ベース８に対して３段となるように配設されている。
【００２６】
分岐ブレーカ３は、図３に示すように、既存品であり、略直方体の本体２２の前面２２ａ側に３個の導電バー１０を接続している。すなわち、図３（ｂ）に示すように、本体２２の前面２２ａには、導電バー１０が挿入される挿入溝２３が本体２２の上下方向に３段に形成されている。
【００２７】
そして、上段の挿入溝２３内には、導電バー１０ａに弾性的に接触する入力端子９，９が設けられている。また、中段および下段の挿入溝２３，２３のいずれか一方に導電バー１０に弾性的に接触する入力端子９，９が設けられ、他方には入力端子９，９が設けられていない。これにより、分岐ブレーカ３には、導電バー１０ａと導電バー１０，１０との間の電源電圧（ＡＣ１００Ｖ）のいずれかが入力される。さらに、中段および下段の挿入溝２３，２３に入力端子９，９がそれぞれ設けられることにより、導電バー１０，１０間の電源電圧（ＡＣ２００Ｖ）が入力される。こうして、複数個の分岐ブレーカ３は、主ブレーカ２の出力側に接続された３個の導電バー１０にそれぞれ接続されている。
【００２８】
そして、分岐ブレーカ３は、本体２２の上面２２ｃ側に設けたハンドル２５を手動操作することにより、入力端子９，９と、本体２２の後面２２ｂ側に設けられた図示しない出力端子とが接続される。図３中、斜線で示すハンドル２５の状態がオン状態を示す。そして、出力端子には、操作レバー２６，２６を操作によって負荷２７（図７に示す。）に接続される電線２８，２８（図７に示す。）が接続される。図３中、斜線で示す操作レバー２６の状態が出力端子に電線２８を接続する状態を示す。
【００２９】
そして、分岐ブレーカ３は、その本体２２に電流センサ４を内蔵している。電流センサ４は、負荷２７に流れる電流（負荷電流）を検出する既存のカレントトランスに形成されている。そして、電流センサ４の出力側は、リード線２９に接続されていて、このリード線２９が本体２２の上面２２ｃから導出している。リード線２９の先端には、雄コネクタ３０が接続されている。
【００３０】
リード線２９は、図７に示すように、両端に雌コネクタ３１，３２を有するリード線３３により、基板５に接続されている。基板５には、その一端側５ａから他端側５ｂに沿って各分岐ブレーカ３に対応した入力用の雄コネクタ３４が実装されている。そして、基板５の他端側５ｂには、各分岐ブレーカ３に対応した出力用の雄コネクタ３５が実装されている。各分岐ブレーカ３に対応した雄コネクタ３４，３５同士は、それぞれ配線パターン３６により電気接続されている。
【００３１】
リード線３３は、その雌コネクタ３１がリード線２９の雄コネクタ３０に接続され、その雌コネクタ３２が基板５の入力用の雄コネクタ３４に接続されている。これにより、電流センサ４の出力が基板５の出力用の雄コネクタ３５に発生する。基板５の雄コネクタ３５は、電流センサ４の出力部となっている。
【００３２】
そして、基板５は、図１において、上段側および下段側ブレーカ３，３間に配設されているとともに、その他端側５ｂがベース８の他端側８ｂまで延在している。基板５は、ベース８に取り付けられた図示しない取付け部材により、導電バー１０よりもベース８から遠ざかる上方側にベース８および導電バー１０と平行となるように配設されている。こうして、基板５は、その他端側５ｂに、電流センサ４の出力部としての雄コネクタ３５が分岐ブレーカ３に対応して設けられている。そして、図７に示すように、雄コネクタ３５には、計測装置６から導出された接続線３６の雌コネクタ３７が接続される。
【００３３】
なお、雄コネクタ３５は、図７に示すように１つの雄コネクタに構成してもよく、または、グループに分けて複数個の雄コネクタに集合させてもよく、あるいは、個別に設けてもよい。また、電流センサ４は、分岐ブレーカ３と別体であってもよい。
【００３４】
計測装置６は、図４および図５に示すように、略直方体に形成された装置本体３８を有する。この装置本体３８の上面３８ｃから雌コネクタ３７を有する接続線３６が導出されている。装置本体３８は、例えばポリブチレンテレフタレート（ＰＢＴ）樹脂からなり、その内部に、図６に示すように、第１の入力部３９、第２の入力部４０、第３の入力部４１、演算部４２、演算出力部４３、記憶部４４および電源部４５などを形成している。
【００３５】
第１の入力部３９は、接続線３６に接続され、各分岐ブレーカ３の電流センサ４が検出した電流を入力し、当該電流を直流電圧に変換して演算部４２に出力するように形成されている。
【００３６】
第２の入力部４０は、導電バー１０，１０間の電圧を入力し、低電圧の直流電圧に変換して演算部４２に出力するように形成されている。すなわち、導電バー１０ａおよび一方の導電バー１０間の電源電圧と、導電バー１０ａおよび他方の導電バー１０間の電源電圧が入力される。これにより、各分岐ブレーカ３の入力端子９，９に入力される電源電圧、すなわち負荷２７に印加される負荷電圧が入力される。
【００３７】
装置本体３８は、図４に示すように、分岐ブレーカ３と同様にして、装置本体３８の前面３８ａに、導電バー１０が挿入される挿入溝４６が装置本体３８の上下方向に３段に形成されている。そして、各挿入溝４６内には、導電バー１０ａおよび導電バー１０，１０にそれぞれ弾性的に接触する入力端子４７，４７が設けられている。こうして、計測装置６は、主ブレーカ２の出力側に接続された３個の導電バー１０にそれぞれ接続され、３個の導電バー１０の間の電源電圧が入力される。
【００３８】
図６において、第３の入力部４１は、各分岐ブレーカ３に接続されない外部の電気機器４８から出力される出力信号を入力し、この出力信号を直流電圧に変換して演算部４２に出力するように形成されている。外部の電気機器４８は、例えばガス量検出装置（ガスメーター）や水道量検出装置（水道メーター）である。これらの装置は、積算検出量が例えば０．１ｍ3になる毎に１パルスの信号を出力するように形成され、当該出力信号が第３の入力部４１に入力される。
【００３９】
演算部４２は、マイコンを有してなり、第１の入力部３９に入力した負荷２７の電流（負荷電流）および第２の入力部４０に入力した導電バー１０，１０間の電源電圧から負荷２７の消費電力を演算するように形成されている。また、第３の入力部４１に入力した外部の電気機器４８の出力信号から当該電気機器４８の消費量を演算するように形成されている。また、電気機器４８の消費電力などを演算可能に形成されている。
【００４０】
演算出力部４３は、演算部４２が演算した演算結果をパソコン等の外部機器４９またはインターネット回線などに出力するよう形成されている。
【００４１】
そして、記憶部４４は、第１の入力部３９が入力した電流（負荷電流）に対する負荷２７と、負荷２７に対する導電バー１０，１０間の電源電圧との対応付けなどを記憶している。また、電源部４５は、第２の入力部４０が入力した導電バー１０，１０間の電源電圧から直流電源を生成し、計測装置６の動作電源として供給するように形成されている。
【００４２】
そして、計測装置６は、図５（ａ）に示すように、第３の入力部４１および演算出力部４３が装置本体３８の背面３８ｂ側であって側面３８ｅ１，３８ｅ２間の中間よりも側面３８ｅ１側に配設されている。また、図４に示すように、演算出力部４３は、装置本体３８の上面３８ｃ側に配設され、第３の入力部４１は、下面３８ｄ側に配設されている。そして、図５（ｂ）に示すように、装置本体３８の背面３８ｂには、第３の入力部４１の接続ピン５０および演算出力部４３の接続ピン５１がそれぞれ露出している。
【００４３】
計測装置６は、下段側の分岐ブレーカ３に並設されているので、第３の入力部４１および演算出力部４３は、主ブレーカ２、分岐ブレーカ３および導電バー１０に対して最も離れた位置となっている。なお、計測装置６を上段側の分岐ブレーカ３に並設するときには、計測装置６は、その第３の入力部４１および演算出力部４３が装置本体３８の背面３８ｂ側であって側面３８ｅ１，３８ｅ２間の中間よりも側面３８ｅ２側に形成される。
【００４４】
そして、図１において、ケース７には、基板５および導電バー１０が露出しないように、電気絶縁性の図示しない化粧板が設けられている。主ブレーカ２および分岐ブレーカ３のそれぞれの主要部と、計測装置６の本体３８は、露出している。
【００４５】
次に、第１の実施形態の作用について述べる。
【００４６】
各分岐ブレーカ３に設けられた電流センサ４の出力は、各分岐ブレーカ３の上面２２ｃから導出されたリード線２９およびこのリード線２９に接続されたリード線３３により基板５に設けられた入力用の雄コネクタ３４に接続される。ここで、雄コネクタ３４は、各分岐ブレーカ３に対応して設けられ、基板５の一端側５ａから他端側５ｂに沿って設けられている。また、基板５は、上段および下段のブレーカ３，３間であって、導電バー１０の上方に導電バー１０と離間して設けられている。したがって、リード線３３を電源線１４や導電バー１０などの強電部と混在や混線させることなく離間させて配線できる。
【００４７】
そして、基板５の各雄コネクタ３４は、配線パターン３６により基板５の他端側５ｂに設けられた出力用の雄コネクタ３５に接続されている。また、計測装置６は、ケース７のベース部８の他端側８ｂに配設されて、基板５の他端側５ｂに配設されている。これにより、計測装置６から導出された接続線３６は、雄コネクタ３５に容易に接続することができるとともに、分岐ブレーカ３や導電バー１０などの強電部と離間して配線できる。すなわち、計測装置６と各分岐ブレーカ３の電流センサ４の出力とは、容易に接続できる。
【００４８】
こうして、リード線３３およびリード線３６等を介して、負荷２７の負荷電流が計測装置６の第１の入力部３９に入力される。そして、３個の導電バー１０と計測装置６の入力端子４７，４７とは、直接的に接続されているので、負荷２７に印加される負荷電圧は、第２の入力部４０において検出される。
【００４９】
そして、演算部４２は、負荷電流および負荷電圧により、各分岐ブレーカ３に接続されている負荷２７の消費電力を演算し、その演算結果を伝送データにより演算出力部４３から外部機器４９に送信させる。
【００５０】
このように、負荷２７の負荷電流および負荷電圧を入力するリード線３３，３６等の弱電線は、電源線１４、主ブレーカ２、分岐ブレーカ３および導電バー１０などの強電部と接触することなく電気絶縁されて配線され、強電部からのノイズが重畳しにくくなる。これにより、演算部４２の演算結果がノイズにより不安定になることが抑制される。
【００５１】
そして、計測装置６は、その第３の入力部４１および演算出力部４３が主ブレーカ２、分岐ブレーカ３および導電バー１０に対して最も離れた位置側に配設されているので、外部の電気機器４８から第３の入力部４１に接続される入力線および外部機器４９から演算出力部４３に接続される出力線をそれぞれ電源線１４、主ブレーカ２、分岐ブレーカ３および導電バー１０などの強電部と混在や混線させることなく離間させて配線することが可能となる。これにより、計測装置６の第３の入力部４１、演算出力部４３およびこれらに接続される入出力線と、前記強電部との電気絶縁を確保できるとともに、前記強電部からのノイズの重畳が抑制可能となる。
【００５２】
演算部４２は、第３の入力部４１が入力した外部の電気機器４８の出力信号から電気機器４８の消費量を演算する。そして、その演算結果を演算出力部４３から伝送データにより外部機器４９に送信させる。電気機器４８の消費量は、外部機器４９において報知される。これにより、多くの使用している電気機器４８の消費量を容易に知ることか可能である。
【００５３】
本発明の電力計測機能付き分電盤１によれば、計測装置６は、並設された分岐ブレーカ３よりもケース７のベース８の片隅８ｃに配設されているとともに、第３の入力部４１および演算出力部４３が主ブレーカ２、分岐ブレーカ３および導電バー１０に対して最も離れた位置側となるように形成されているので、第３の入力部４１に接続される入力線および演算出力部４３に接続される出力線と、外部からの電源線１４などの強電部とを混在や混線させずに配線することが可能であり、これにより、前記入力線および前記出力線と、電源線１４、主ブレーカ２、分岐ブレーカ３および導電バー１０などの強電部との絶縁を確保できるとともに、前記入力線および前記出力線に強電部からのノイズが重畳することを抑制できるという効果を有する。
【００５４】
そして、計測装置６は、分岐ブレーカ３に接続される負荷２７以外の外部の電気機器４８の出力信号を入力する第３の入力部４１を備え、演算部４２は、電気機器４８の出力信号から電気機器４８の消費量を演算し、演算出力部４３は、その演算結果を出力するように構成されているので、パソコンなどの外部機器４９において、多くの使用している電気機器４８の消費量を容易に知ることができるという効果を有する。
【００５５】
次に、本発明の第２の実施形態について説明する。
【００５６】
本実施形態の電力計測機能付き分電盤は、図１に示す電力計測機能付き分電盤１において、計測装置６Ａを有する。計測装置６Ａは、図８ないし図１０に示すように構成される。なお、図４ないし図６と同一部分および同一部分に相当する部分には同一符号を付して説明は省略する。
【００５７】
図１０において、計測装置６Ａは、装置本体３８に無線送信用のアンテナ５２を具備している。アンテナ５２は、演算出力部４３に接続されている。演算出力部４３は、演算部４２が演算した演算結果を無線信号に変換し、アンテナ５２から送信するように形成されている。アンテナ５２から送信された前記演算結果は、受信機能を有する外部機器４９にて報知される。その他の構成は、図６に示す計測装置６と同様である。
【００５８】
アンテナ５２は、図８および図９に示すように、棒状に形成され、その一部が装置本体３８の背面３８ｂから突出するように設けられている。
【００５９】
本実施形態の電力計測機能付き分電盤によれば、計測装置６Ａは、演算出力部４３に出力線を接続しないので、演算出力部４３側と、電源線１４、主ブレーカ２、分岐ブレーカ３および導電バー１０などの強電部との電気絶縁をさらに確保できるとともに、前記強電部からのノイズの影響をさらに抑制できるという効果を有する。
【００６０】
なお、本実施形態では、演算出力部４３にアンテナ５２を接続させているが、このアンテナ５２または別に設けたアンテナが外部の電気機器４８から無線にて送信された出力信号を受信し、第３の入力部４１は、受信した出力信号をデータ変換して演算部４２に出力するように形成されていてもよい。また、アンテナ５２は、棒状に限らず、他の形状であってもよく、装置本体３８から突出させなくてもよい。
【００６１】
また、第１および第２の実施形態において、雄コネクタおよび雌コネクタは、それぞれを交換してもよい。
【符号の説明】
【００６２】
１…電力計測機能付き分電盤、  ２…主ブレーカ、  ３…分岐ブレーカ、  ４…電流センサ、  ５…基板、  ６，６Ａ…計測装置、  ７…ケース、  ８…ケースのベース、  ３５…電流センサの出力部としての雄コネクタ、  ３９…第１の入力部、  ４０…第２の入力部、  ４１…第３の入力部、  ４２…演算部、  ４３…演算出力部
【図１】
2013192393.tif 000003
【図２】
2013192393.tif 000004
【図３】
2013192393.tif 000005
【図４】
2013192393.tif 000006
【図５】
2013192393.tif 000007
【図６】
2013192393.tif 000008
【図７】
2013192393.tif 000009
【図８】
2013192393.tif 000010
【図９】
2013192393.tif 000011
【図１０】
2013192393.tif 000012